(57)【要約】【課題】後続の演奏予約曲より演奏を後回しにさせる。【解決手段】利用者の操作入力に従い、遠慮フラグのつかない楽曲ＩＤの入力と、遠慮フラグのついた楽曲ＩＤの入力とを受け付け可能な入力手段と、制御手段の制御によりカラオケ楽曲を演奏する手段を備え、待ち行列に登録された楽曲ＩＤに従って順番に演奏し、遠慮フラグのつかない楽曲ＩＤと遠慮フラグのついた楽曲ＩＤの入力を受け付けた際、遠慮フラグのつかない楽曲ＩＤを遠慮フラグのついた楽曲ＩＤに優先させて演奏させる遠慮楽曲演奏処理を可能とするカラオケ装置を提供する。【選択図】図４
2008164790.tif 000002
【特許請求の範囲】
【請求項１】
入力手段と、演奏手段と、制御手段を備え、待ち行列に登録された楽曲ＩＤに従って順番に演奏するカラオケ装置であって、
入力手段は、利用者の操作入力に従い、遠慮フラグのつかない楽曲ＩＤの入力と、遠慮フラグのついた楽曲ＩＤの入力とを受け付け可能であり、
演奏手段は、制御手段の制御によりカラオケ楽曲を演奏し、
制御手段は、遠慮フラグのつかない楽曲ＩＤと、遠慮フラグのついた楽曲ＩＤの入力を受け付けた際、遠慮フラグのつかない楽曲ＩＤの楽曲を当該遠慮フラグのついた楽曲ＩＤの楽曲に優先させて演奏させる遠慮楽曲演奏処理を可能とする
カラオケ装置。
【請求項２】
メモリを備え、
遠慮楽曲演奏処理は、第１〜第３処理を含み、
第１処理は、遠慮フラグのついた楽曲ＩＤの入力を受け付けた際、当該楽曲ＩＤを待機楽曲ＩＤとして、初期化した待機曲数カウンタと対応付けしてメモリに記憶し、
第２処理は、遠慮フラグのつかない楽曲ＩＤの入力を受け付けた際、当該楽曲ＩＤを待ち行列に登録するとともに、待機曲数カウンタを歩進させてカウント値が規定値に達した待機曲数カウンタの存否をチェックし、
第３処理は、カウント値が規定値に達した待機曲数カウンタに対応付けされた待機楽曲ＩＤを待ち行列に登録する
請求項１に記載のカラオケ装置。
【請求項３】
メモリを備え、
遠慮楽曲演奏処理は、第１〜第４処理を含み、
第１処理は、遠慮フラグのついた楽曲ＩＤの入力を受け付けた際、当該楽曲ＩＤを待機楽曲ＩＤとして、初期化した待機曲数カウンタと対応付けしてメモリに記憶し、
第２処理は、遠慮フラグのつかない楽曲ＩＤの入力を受け付けた際、当該楽曲ＩＤを待ち行列に登録し、
第３処理は、待ち行列から楽曲ＩＤを取り出すごとに待機曲数カウンタを歩進させ、
第４処理は、待ち行列から楽曲ＩＤを取り出すごとに、カウント値が規定値に達した待機曲数カウンタの存否をチェックし、存在すれば、その待機楽曲ＩＤの楽曲を取り出した楽曲ＩＤの次に演奏させる
請求項１に記載のカラオケ装置。
【請求項４】
遠慮楽曲演奏処理は、第１〜第４処理を含み、
第１処理は、遠慮フラグのついた楽曲ＩＤの入力を受け付けた際、当該楽曲ＩＤを待機楽曲ＩＤとして遠慮フラグと初期化した待機曲数カウンタとを対応付けして待ち行列に登録し、
第２処理は、待ち行列の先頭以外の楽曲ＩＤを取り出した際に、取り出した楽曲ＩＤより前に待ち行列に登録された待機楽曲ＩＤの待機曲数カウンタを歩進させ、
第３処理は、待ち行列から取り出し対象となった楽曲ＩＤを参照した際、当該楽曲ＩＤが待機楽曲ＩＤでない場合は当該楽曲ＩＤを取り出し、待機楽曲ＩＤである場合は第４処理に移行し、
第４処理は、参照した待機楽曲ＩＤに対応付けされている待機曲数カウンタのカウント値が規定値に達している場合には、当該待機楽曲ＩＤを取り出し、カウント値が規定値に達していない場合には、当該待機楽曲ＩＤの次に待ち行列に登録されている楽曲ＩＤを取り出し対象として参照する
請求項１に記載のカラオケ装置。
【請求項５】
遠慮楽曲演奏処理は、第１〜第４処理を行い、
第１処理は、遠慮フラグのついた楽曲ＩＤの入力を受け付けた際、当該楽曲ＩＤを待機楽曲ＩＤとして遠慮フラグと初期化した待機曲数カウンタとを対応付けして待ち行列に登録し、
第２処理は、遠慮フラグのつかない楽曲ＩＤの入力を受け付けた際、当該楽曲ＩＤを待ち行列に登録するとともに、登録済みの待機楽曲ＩＤに対応する待機曲数カウンタを歩進させ、
第３処理は、待ち行列から取り出し対象となった楽曲ＩＤを参照した際、当該楽曲ＩＤが待機楽曲ＩＤでない場合は当該楽曲ＩＤを取り出し、待機楽曲ＩＤである場合は第４処理に移行し、
第４処理は、参照した待機楽曲ＩＤに対応付けされている待機曲数カウンタのカウント値が規定値に達している場合には、当該待機楽曲ＩＤを取り出し、カウント値が規定値に達していない場合には、当該待機楽曲ＩＤの次に待ち行列に登録されている楽曲ＩＤを取り出し対象として参照する
請求項１に記載のカラオケ装置。
【請求項６】
入力手段は、利用者の操作入力に基づく待機曲数を受け付け可能とし、
制御手段は、入力手段が待機曲数を受け付けた際、当該待機曲数を待機曲数カウンタの規定値に設定する
請求項２〜５に記載のカラオケ装置。
【請求項７】
入力手段は、遠慮フラグのついた楽曲ＩＤとともに利用者の操作入力に基づく待機曲数を受け付け可能とし、
制御手段は、遠慮フラグのついた楽曲ＩＤとともに待機曲数を受け付けた際、当該待機曲数を当該待機楽曲ＩＤに対応する待機曲数カウンタの規定値に設定する
請求項２〜５に記載のカラオケ装置。
【発明の詳細な説明】
【技術分野】
【０００１】
この発明は、グループでカラオケ利用する場合などに、予約済みの楽曲の演奏順番を入れ替えて、同じ利用者が続けて歌唱することがないようにしたカラオケ装置に関する。
【背景技術】
【０００２】
カラオケ装置は、リモコン装置などのユーザインタフェースを介して受け付けた予約楽曲の楽曲ＩＤを演奏処理の待ち行列に登録し、待ち行列から順番に楽曲ＩＤを取り出してその楽曲を次々と演奏する。そのため、同じ利用者が続けて予約すると、同じ利用者が続けて歌唱することになり、グループでカラオケを楽しむ場合に、各利用者に平等な歌唱機会が与えられない。そこで、とくに大勢でカラオケを楽しむ場合には、歌唱の機会が平等に巡るように、メンバー間で歌唱順を考慮しながら順番に希望曲を演奏予約することが望ましい。
【発明の開示】
【発明が解決しようとする課題】
【０００３】
近頃のカラオケ店では、多数のカラオケ楽曲を収録した分厚い目次本のかわりに、タブレットタイプのコンピュータで構成された電子目次本（カラオケ選曲装置）がよく利用されている。このようなカラオケ選曲装置は、タブレットコンピュータの高い演算能力や記憶能力、通信能力を利用して、多様な切り口で検索させて選曲することができる。たとえば、特許第３６４５２１１号公報には、利用者の年齢や年代に基づいて、利用者の記憶に残る年代の流行曲を検索する、いわゆるあの頃検索について開示されている。このような多様な選曲機能は、選曲すること自体がカラオケ歌唱とは別の楽しみを創出している。利用者はゲーム感覚でその操作に夢中になることも多い。また、久しぶりにカラオケ店に行ったり、多数の新譜が加わっていたりすると、一人の人がつい目次本や選曲装置を独占して複数の楽曲を連続して予約してしまう場合もある。
【０００４】
そこで本発明者は、同じ人が予約した曲が連続して演奏されないようにすることができれば、一人が一度に複数の楽曲を予約したとしても同伴者全員に平等に歌唱機会が与えられると考えた。たとえばメンバーが５人いれば、今選曲した楽曲を他の５曲が予約されてから演奏順番が回ってくるようにすれば、他のメンバーに気兼ねなく予約操作を行える。そうすると、選曲操作も効率よく行えるし、メンバー間でスムーズに選曲装置や目次本など融通し合えて、カラオケの場も和やかになる。そのようなことを考えながら本発明を創作した。
【課題を解決するための手段】
【０００５】
この発明に係るカラオケ装置は、分説すると、つぎの事項（１）〜（４）により特定されるものである。  
（１）入力手段と、演奏手段と、制御手段を備え、待ち行列に登録された楽曲ＩＤに従って順番に演奏するカラオケ装置であること
（２）入力手段は、利用者の操作入力に従い、遠慮フラグのつかない楽曲ＩＤの入力と、遠慮フラグのついた楽曲ＩＤの入力とを受け付け可能であること
（３）演奏手段は、制御手段の制御によりカラオケ楽曲を演奏すること
（４）制御手段は、遠慮フラグのつかない楽曲ＩＤと、遠慮フラグのついた楽曲ＩＤの入力を受け付けた際、遠慮フラグのつかない楽曲ＩＤの楽曲を当該遠慮フラグのついた楽曲ＩＤの楽曲に優先させて演奏させる遠慮楽曲演奏処理を可能とすること
【０００６】
この発明において、つぎの要件（Ａ）〜（Ｄ）のいずれかを選択的に備えることが望ましい。  
（Ａ）メモリを備え、遠慮楽曲演奏処理は、遠慮フラグのついた楽曲ＩＤの入力を受け付けた際、当該楽曲ＩＤを待機楽曲ＩＤとして、初期化した待機曲数カウンタと対応付けしてメモリに記憶し、遠慮フラグのつかない楽曲ＩＤの入力を受け付けた際、当該楽曲ＩＤを待ち行列に登録するとともに、待機曲数カウンタを歩進させてカウント値が規定値に達した待機曲数カウンタの存否をチェックし、カウント値が規定値に達した待機曲数カウンタに対応付けされた待機楽曲ＩＤを待ち行列に登録すること
（Ｂ）メモリを備え、遠慮楽曲演奏処理は、遠慮フラグのついた楽曲ＩＤの入力を受け付けた際、当該楽曲ＩＤを待機楽曲ＩＤとして、初期化した待機曲数カウンタと対応付けしてメモリに記憶し、遠慮フラグのつかない楽曲ＩＤの入力を受け付けた際、当該楽曲ＩＤを待ち行列に登録し、待ち行列から楽曲ＩＤを取り出すごとに待機曲数カウンタを歩進させ、待ち行列から楽曲ＩＤを取り出すごとに、カウント値が規定値に達した待機曲数カウンタの存否をチェックし、存在すれば、その待機楽曲ＩＤの楽曲を取り出した楽曲ＩＤの次に演奏させること
（Ｃ）遠慮楽曲演奏処理は、遠慮フラグのついた楽曲ＩＤの入力を受け付けた際、当該楽曲ＩＤを待機楽曲ＩＤとして遠慮フラグと初期化した待機曲数カウンタとを対応付けして待ち行列に登録し、待ち行列の先頭以外の楽曲ＩＤを取り出した際に、取り出した楽曲ＩＤより前に待ち行列に登録された待機楽曲ＩＤの待機曲数カウンタを歩進させ、待ち行列から取り出し対象となった楽曲ＩＤを参照した際、当該楽曲ＩＤが待機楽曲ＩＤでない場合は当該楽曲ＩＤを取り出し、待機楽曲ＩＤである場合は、参照した待機楽曲ＩＤに対応付けされている待機曲数カウンタのカウント値が規定値に達していれば当該待機楽曲ＩＤを取り出し、カウント値が規定値に達していなければ当該待機楽曲ＩＤの次に待ち行列に登録されている楽曲ＩＤを取り出し対象として参照すること
（Ｄ）遠慮楽曲演奏処理は、遠慮フラグのついた楽曲ＩＤの入力を受け付けた際、当該楽曲ＩＤを待機楽曲ＩＤとして遠慮フラグと初期化した待機曲数カウンタとを対応付けして待ち行列に登録し、遠慮フラグのつかない楽曲ＩＤの入力を受け付けた際、当該楽曲ＩＤを待ち行列に登録するとともに、登録済みの待機楽曲ＩＤに対応する待機曲数カウンタを歩進させ、待ち行列から取り出し対象となった楽曲ＩＤを参照した際、当該楽曲ＩＤが待機楽曲ＩＤでない場合は当該楽曲ＩＤを取り出し、待機楽曲ＩＤである場合は、参照した待機楽曲ＩＤに対応付けされている待機曲数カウンタのカウント値が規定値に達していれば当該待機楽曲ＩＤを取り出し、カウント値が規定値に達していなければ当該待機楽曲ＩＤの次に待ち行列に登録されている楽曲ＩＤを取り出し対象として参照すること
【０００７】
さらにまた、入力手段は、遠慮フラグのついた楽曲ＩＤとともに利用者の操作入力に基づく待機曲数を受け付け可能とし、制御手段は、遠慮フラグのついた楽曲ＩＤとともに待機曲数を受け付けた際、当該待機曲数を当該楽曲ＩＤの待機楽曲についての規定値に設定することが望ましい。  
入力手段は、遠慮フラグのついた楽曲ＩＤとともに利用者の操作入力に基づく待機曲数を受け付け可能とし、制御手段は、遠慮フラグのついた楽曲ＩＤとともに待機曲数を受け付けた際、当該待機曲数を当該楽曲ＩＤの待機楽曲についての規定値に設定するようにしてもよい。
【発明の効果】
【０００８】
本発明のカラオケ装置によれば、希望曲を何曲か先に演奏予約することができるので、選曲操作を行ったら、一人の利用者が他のメンバーに気兼ねすることなく連続して予約操作を行える。また、一人の利用者が一度に複数の楽曲を予約する機会が増えるので、選曲に関わる時間や手間が、複数の利用者が一曲ずつ順番に選曲操作を行うより省力でき、カラオケ歌唱に集中できる。したがって、カラオケの場がより和やかになることを期待できる。
【実施例】
【０００９】
＝＝＝カラオケ装置の基本構成＝＝＝
図１に本実施例におけるカラオケ装置の構成を例示した。本実施例のカラオケ装置は、周知の通信カラオケシステムの一部であり、複数の客室１２０を備えたカラオケ店舗において、同室内にあるカラオケ演奏端末（以下、演奏端末１０）と、当該演奏端末を操作するための客室端末２０とで構成される。カラオケ店舗にはＬＡＮ１１０が敷設され、このＬＡＮ１１０を介して各客室の演奏端末１０と同室内の客室端末２０とが通信する。
【００１０】
客室端末２０は、タッチパネルを主要なユーザインタフェースとしたタブレットコンピュータと同様のハードウェア構成であり、所定規格の無線ＬＡＮインタフェースを実装する。内蔵する外部記憶に、演奏予約などの操作対象となる同室内の演奏端末１０の所在情報（ＩＰアドレスなど）を記憶しており、無線アクセスポイント４０を介してＬＡＮ１１０に接続し、演奏端末１０と通信する。また、インストールされているプログラムの実行によりＧＵＩを通じて利用者と対話し、楽曲の演奏予約など、演奏端末１０を操作するためのリモコン装置として機能する。
【００１１】
＝＝＝演奏端末１０の基本構成と通常演奏機能＝＝＝
演奏端末１０は、汎用パソコンの応用装置である。図２にそのブロック構成を例示した。中央制御部１１は周辺構成部を制御して演奏端末１０を統括する。ハードディスク装置１２には、メインコンピュータのプログラムのほか、伴奏音楽や歌詞画像の起源となるカラオケデータを楽曲ＩＤに対応付けして記憶している。
【００１２】
客室端末２０の外部記憶には、演奏端末１０にて演奏可能なカラオケ楽曲について、曲名・アーティスト名・楽曲ジャンルなどの目次情報を、楽曲ＩＤに対応付けして集約した楽曲索引データベースが記憶されている。客室端末２０は、タッチパネルを介した利用者との対話を通じて、利用者の希望する楽曲の目次情報を楽曲索引データベースから検索して提示する。そして、客室端末２０において最終的に１曲に特定されたカラオケ楽曲を演奏予約する旨の利用者の指示入力がなされると、その楽曲の楽曲ＩＤを含む演奏予約電文を同室内の演奏端末１０に転送する。
【００１３】
演奏端末１０の中央制御部１１は、客室端末２０から送信されてきた楽曲ＩＤを受け付けたり、操作／表示パネル１３に入力された楽曲ＩＤを受け付けたりすると、その楽曲ＩＤを受け取った順にＲＡＭなどに格納し、その受付順に格納された楽曲ＩＤを演奏処理の待ち行列として管理する。すなわち、受け付け順に待ち行列の先頭から順に登録していく。そして、待ち行列の先頭から楽曲ＩＤを取り出して、その楽曲ＩＤに該当するカラオケデータを取り出す。待ち行列の先頭から楽曲ＩＤを取り出すと、その楽曲ＩＤの次に受け付けた楽曲ＩＤが待ち行列の先頭になる。
【００１４】
中央制御部１１の制御により、取り出されたカラオケデータに基づいて、演奏処理部１５が伴奏音楽の音楽信号を生成し、マイクロホンに入力された歌声信号とミキシングアンプ１６で混合・増幅してスピーカより音響出力する。また、映像処理部１７が、背景映像に演奏の進行に同期して色変わりする歌詞字幕をスーパーインポーズ処理してディスプレイ１８に映像出力する。
【００１５】
＝＝＝遠慮楽曲演奏機能の概略＝＝＝
本実施例の演奏端末１０は、上記の通常演奏機能に加え、利用者が遠慮楽曲として先に予約した楽曲を、その後に予約された楽曲の後に演奏する遠慮楽曲演奏機能を備えている。
【００１６】
図３に客室端末２０における遠慮楽曲演奏機能に関わるユーザインタフェース環境を例示した。利用者が最終的に予約楽曲を選択指定すると、その楽曲についての詳細情報がタッチパネルに表示される。その詳細情報の画面には、曲目やアーティスト名などの目次情報と、演奏端末１０に演奏予約させるための転送ボタン３０と、当該機能により待機楽曲を演奏予約させるための遠慮転送ボタン３１が配設されている。客室端末２０は、ここで遠慮転送ボタン３１が指示されると、楽曲ＩＤと遠慮フラグとを含んだ演奏予約電文を生成し、演奏端末１０に送信する。
【００１７】
演奏端末１０は、遠慮フラグとともに送信されてきた楽曲ＩＤを待機楽曲ＩＤとして、その後に受け付けた所定数の楽曲ＩＤの楽曲を優先して演奏し、その後で当該待機楽曲ＩＤに対応する遠慮楽曲を演奏する。この遠慮楽曲演奏機能によれば、希望曲を何曲か先に、後の人がまだ選曲していなくても演奏予約することができる。そのため、選曲操作を行ったら、他のメンバーに気兼ねすることなく今すぐ予約操作を行える。そうすると、選曲操作も効率よく行えるし、メンバー間でスムーズに選曲装置や目次本など都合しあえ、カラオケの場が円滑になる。
【００１８】
以下に、遠慮楽曲演奏機能に関わる情報処理について、いくつかの実施形態を例示する。なお、以下のいずれの実施例においても、遠慮楽曲の演奏機会を先送りする回数に相当する規定値Ｎが、ハードディスク装置１２やＲＯＭなどの適宜な記憶部にあらかじめ記憶されているものとする。
【００１９】
＝＝＝第１の実施例＝＝＝
本発明の第１の実施例では、演奏端末１０が遠慮フラグのついた楽曲ＩＤを受け取ると、その楽曲ＩＤの待ち行列への登録を待機させ、それより後に受信した演奏予約電文に含まれる楽曲ＩＤを優先して待ち行列に登録する。
【００２０】
図４には第１の実施例にかかる待ち行列登録の際の処理フローを例示している。演奏端末１０の中央制御部１１は、受け取った演奏予約電文に、楽曲ＩＤと遠慮フラグとが含まれていた場合に（ｓ１〜ｓ２）、演奏端末１０はこの楽曲ＩＤをすぐには待ち行列に登録しない。待ち行列とは別の記憶領域（メモリ）に当該楽曲ＩＤを待機曲としてメモリに記憶する。その際に、この待機楽曲ＩＤに対応付けして待機曲数カウンタを記憶する。またカウント値を初期値ｎ＝０に設定する（ｓ３）。
【００２１】
中央制御部１１は待ち行列の登録状況を監視し（ｓ４）、遠慮フラグがついていない楽曲ＩＤを受け付けた場合には、その楽曲ＩＤを待ち行列に登録するとともに、カウンタを歩進させる（ｓ５）。上記ｓ４〜ｓ５の処理を繰り返しながらメモリに記憶した待機楽曲カウンタのカウント値を監視し、カウント値ｎ＝Ｎになると（ｓ６）、待機曲の楽曲ＩＤを待ち行列に登録する（ｓ７）。  
そして演奏端末１０は、待ち行列に登録されている順に楽曲ＩＤを取り出して演奏処理部１５に転送し、演奏処理を行う。
【００２２】
＝＝＝第２の実施例＝＝＝
図５には、本発明の第２の実施例における遠慮楽曲演奏処理の流れを示している。中央制御部１１は、遠慮フラグのついた楽曲ＩＤを受け付けると（ｓ２１→ｓ２２→ｓ２３）、メモリに当該楽曲ＩＤを待機楽曲ＩＤとして、初期値ｎ＝０に設定した待機曲数カウンタ値ｎを対応付けしてメモリに記憶する（ｓ２３）。演奏端末１０が遠慮フラグのつかない楽曲ＩＤを受け付けると、その楽曲ＩＤを待ち行列に登録する（ｓ２１→ｓ２２→ｓ２４）。
【００２３】
そして、待ち行列の登録状況を監視し（ｓ２５）、待ち行列から演奏対象として先頭の楽曲ＩＤを取り出され演奏対象とされると、カウンタ値ｎを歩進させる（ｓ２５→ｓ２６）。そしてカウンタ値ｎが規定値Ｎになっている待機楽曲が存在するかどうかを確認し、存在すれば（ｓ２７→ｓ２８）、対応する待機楽曲の楽曲ＩＤを次の演奏対象として、演奏処理部１５に受け渡す（ｓ２８）。その後も待ち行列の監視（ｓ２５）を繰り返す。
【００２４】
＝＝＝第３の実施例＝＝＝
図６には、本発明の第３の実施例に係る遠慮楽曲演奏処理の流れを例示している。第３の実施例では、演奏端末１０の中央制御部１１は、楽曲ＩＤを受け付けるとその順に待ち行列に登録する。遠慮フラグとともに受け付けた楽曲ＩＤについては、初期値ｎ＝０に設定した待機曲数カウンタを対応付けして待ち行列に登録する（ｓ３０２→ｓ３０３）。
【００２５】
そして演奏対象として待ち行列の先頭の楽曲ＩＤを参照した際に（ｓ３１１）、当該楽曲ＩＤに遠慮フラグがついていない場合には、その楽曲ＩＤを待ち行列から取り出して対応する楽曲を演奏させる（ｓ３１２→ｓ３１８）。
【００２６】
これに対し、待ち行列の先頭の楽曲ＩＤが遠慮フラグのついた待機楽曲ＩＤであった場合には、当該楽曲ＩＤに対応付けされている待機曲数カウンタのカウント値ｎと規定値Ｎとを対比させ（ｓ３１２→ｓ３１３）、ｎがＮに達していない場合には、待ち行列の２番目に登録されている楽曲ＩＤを参照する（ｓ３１３→ｓ３１４）。参照した楽曲ＩＤに遠慮フラグがついていなければ、その楽曲ＩＤを演奏対象として取り出すとともに、待ち行列の先頭に登録されている待機楽曲ＩＤの待機曲数カウンタを歩進させる（ｓ３１５→ｓ３１７）。このようにして、待ち行列からの取り出し対象として参照されたにもかかわらず演奏されなかった回数をカウントしている。
【００２７】
参照した楽曲ＩＤに遠慮フラグがついていて、かつ待機曲数カウンタのカウント値ｎが規定値Ｎに達している場合には、その楽曲ＩＤを演奏対象として取り出す（ｓ３１３→ｓ３１８）。すなわち、待ち行列からの取り出し対象として参照されたにもかかわらず演奏されなかった回数がＮ回になってはじめて演奏されることになる。
【００２８】
なお、待ち行列の先頭に加え、その次（先頭から２番目）の楽曲ＩＤにも遠慮フラグがついていれば、その楽曲ＩＤに対応するカウント値ｎ１と規定値Ｎを対比させ、ｎ１がＮに達していれば、演奏対象として取り出すとともに、先頭の待機楽曲ＩＤの待機曲数カウンタを歩進させる（ｓ３１６→ｓ３１７）。ｎ１がＮに達していない場合には（ｓ３１５→ｓ３１６→ｓ３１４）、さらにその次（先頭から３曲目）の楽曲ＩＤを参照し（ｓ３１６→ｓ３１４）、同様に当該参照楽曲ＩＤに遠慮フラグがついていない場合（ｓ３１５→ｓ３１７）、あるいは遠慮フラグがついていても対応するカウント値ｎ２が規定値Ｎに達している場合（ｓ３１５→ｓ３１６→ｓ３１７）には、その参照した（先頭から３曲目の）楽曲ＩＤを演奏対象として取り出して演奏処理部１５に受け渡すとともに、取り出した楽曲ＩＤより前に待ち行列に登録された待機楽曲ＩＤの待機楽曲カウンタのカウント値（ｎ，ｎ１・・・）に、それぞれ１を加算する（ｓ３１７）。このような処理を繰り返して、待ち行列の順番をさかのぼって先頭以外の演奏対象の楽曲ＩＤを取り出した場合に、それより先に待ち行列に登録されている待機楽曲ＩＤのカウンタを歩進させる。
【００２９】
なお、待ち行列に登録されている全楽曲ＩＤの待機曲数カウンタのカウント値が規定値Ｎに達していない場合には、Ｎになるまで演奏処理に回さないようにする。そうすれば、確実に所定曲数Ｎだけ遠慮楽曲の演奏を待機できる。あるいは、所定時間、他の演奏予約電文が転送されてくるのを待つようにしてもよい。あるいは、待ち行列中の全楽曲ＩＤのカウント値が規定値Ｎに達していない場合には、待ち行列の先頭になればすぐに演奏処理をするようにしてもよい。
【００３０】
＝＝＝第４の実施例＝＝＝
図７には、本発明の第４の実施例に係る遠慮楽曲演奏処理の流れを例示している。第４の実施例では、演奏端末１０の中央制御部１１は、遠慮フラグの有無にかかわらず、楽曲ＩＤを受け付けるとその順に待ち行列に登録する。楽曲ＩＤに遠慮フラグがついている場合には、当該楽曲ＩＤを待機楽曲ＩＤとして、遠慮フラグと初期値ｎ＝０に設定した待機曲数カウンタとを対応付けして待ち行列に登録する（ｓ４０２→ｓ４０３）。また、楽曲ＩＤに遠慮フラグがついていない楽曲ＩＤを受け付けた場合には、それより前に待ち行列に登録された待機楽曲ＩＤに対応する待機曲数カウンタを歩進させる。このようにして、待機楽曲ＩＤのそれぞれについて、それより後に待ち行列に登録された遠慮フラグのつかない楽曲ＩＤ数をカウントしている。
【００３１】
そして演奏処理の対象として待ち行列の先頭の楽曲ＩＤを参照した際に（ｓ４１１）、その楽曲ＩＤに遠慮フラグがついていない場合には、その楽曲ＩＤを取り出す（ｓ４１２→ｓ４１５）。
【００３２】
これに対し、待ち行列の先頭の楽曲ＩＤが遠慮フラグのついた待機楽曲ＩＤであった場合には、当該待機楽曲ＩＤに対応づけされている待機曲数カウンタのカウント値ｎと規定値Ｎとを対比させる（ｓ４１２→ｓ４１３）。ｎがＮに達していない場合には、その次に待ち行列に登録されている楽曲ＩＤを参照し（ｓ４１３→ｓ４１４）、その楽曲ＩＤに遠慮フラグがついていなければ、その楽曲ＩＤを取り出す（ｓ４１２→ｓ４１５）。また、遠慮フラグがついていても、ｎがＮに達していれば、その待機楽曲ＩＤを取り出す（ｓ４１３→ｓ４１５）。
【００３３】
＝＝＝待機曲数カウンタの規定値Ｎについて＝＝＝
待機曲数カウンタの規定値Ｎを利用者入力により設定できるようにしてもよい。たとえば楽曲詳細画面に規定値Ｎを入力するための数値キーや、数値を選択可能にしたプルダウンメニューなどを用意しておく。客室端末２０は、規定値Ｎが入力され遠慮転送指示がなされると、楽曲ＩＤとともに遠慮フラグおよび待機曲数カウンタの規定値Ｎを含んだ演奏予約電文を演奏端末１０に送信する。演奏端末１０は、遠慮フラグのついた楽曲ＩＤを待機楽曲として規定値Ｎとともにメモリに記憶したり、待ち行列に登録して、演奏予約を受け付けた機会ごとに、あるいは演奏機会ごとに待機楽曲に対応付けしたカウント値ｎを歩進させ、個々の待機楽曲ごとにカウント値ｎが規定値Ｎに達しているか否かをチェックすればよい。
【００３４】
なお、利用者が規定値Ｎを指定しない場合は、あらかじめ設定されている規定値Ｎを採用すればよい。また、演奏端末１０の使用開始前に一律に規定値Ｎを利用者入力により設定できるようにしておいてもよい。
【図面の簡単な説明】
【００３５】
【図１】本実施例に係るカラオケ装置の構成を例示している。
【図２】本実施例に係る演奏端末のハードウェア構成を例示している。
【図３】同上客室端末における選曲画面を例示している。
【図４】第１の実施例に係る遠慮楽曲演奏処理フロー図である。
【図５】第２の実施例に係る遠慮楽曲演奏処理フロー図である。
【図６】第３の実施例に係る遠慮楽曲演奏処理フロー図である。
【図７】第４の実施例に係る遠慮楽曲演奏処理フロー図である。
【符号の説明】
【００３６】
１０  演奏端末
１１  中央制御部
２０  客室端末
【図１】
2008164790.tif 000003
【図２】
2008164790.tif 000004
【図４】
2008164790.tif 000005
【図５】
2008164790.tif 000006
【図６】
2008164790.tif 000007
【図７】
2008164790.tif 000008
【図３】
2008164790.tif 000009